(57)【要約】      （修正有）【課題】エレベーターに使用されているカウンターウェイトを取り除き、駆動装置にかかる余分なエネルギーを解消したエコロジー形エレベーターを提供する。【解決手段】小型エレベーター、及び家庭用エレベーターに於いて、２本の釣り下げチェーンと機構上チェーンの、３本のチェーンを持ち、それらを駆動するスプロケットの組合わせにより、エレベーター自身の自重をカウンターウェイトとしても使用して、カウンターウェイトを省いた、エコロジー形エレベーターである。【選択図】図３
0003148238.tif 000002
【実用新案登録請求の範囲】
【請求項１】
一般用エレベーター・特に小形エレベーターの、カウンターウェイトを取り除き、エレベーター自重をカウンターウェイトとして、駆動装置にかかる、負荷を減少することにて、電力エネルギーのエコロジー効果を発生させた。
【請求項２】
カウンターウェイトを取り除いたことにて、エレベーターの占有面積を小さくすることが出来、建築物の使用有効面積を大きくすることが出来るように成った。
【請求項３】
カウンターウェイトがエレベーター自重となり、常時上方向、下方向への荷重が同等のバランスがとれた形であり、駆動装置のブレーキ部分に何等かの故障が発生しても、エレベーターが自然上昇する危険が無くなり、より安全性の効果が得られた。
【考案の詳細な説明】
【技術分野】
【０００１】  本考案は、人及び荷物を上下移送する輸送設備分野に属する。
【考案の開示】
【考案が解決しようとする課題】
【０００２】  図１・図２、にて従来のエレベーターの機構説明を致します。【０００３】  エレベーターＭａｘ自重Ｗ１＜Ｗ２カウンターウェイト重量、の関係に有り、駆動装置には常時、余分なエネルギーが使用されている、この余分なエネルギーを取除き、エコロジー形に変更致します。【０００４】  従来のエレベーターに使用されているカウンターウェイトを取除くことにより、エレベーターの占有面積を小さくすることが可能と成り、建築物の使用有効面積を大きくすることで有ります。【０００５】  前述に加え尚且つ、Ｗ１＜Ｗ２の関係を、エレベーター自重をカウンターウェイトに返還することにて、従来のエレベーターに於いては駆動装置のブレーキ部分に故障が発生した場合には、エレベーターは自然上昇する危険をも解消することで有ります。
【背景技術】
【０００６】  エレベーターにはカウンターウエイトが設けられており、一般的にはエレベーターＭａｘ自重Ｗ＜Ｗ２カウンターウェイト重量、の関係に有り、駆動装置には常時不必要な多大なブレーキ電力が必要とされていた。【０００７】  Ｗ１＜Ｗ２の関係から、エレベーターが空状態になればなるほど品番２１駆動装置の駆動電力が大きく成っていた。【０００８】  従来のエレベーターに於いては、エレベーターＭａｘ自重Ｗ１＜Ｗ２カウンターウェイト重量、の関係に有り、駆動装置ブレーキ部分に故障が発生した場合、エレベーターは自然上昇し、思わぬ事故の発生原因と成っていた。
【考案を実施するための最良の形態】
【０００９】  ここからは、図３・図４・図５・図６、にて説明致します。【００１０】  図１〜図６、に於いてエレベーターのガイドレール関係は図面から除外し致しました。【００１１】  図３にて説明する。品番４０Ａ・４０Ｃ釣り下げチェーンにはエレベーター自重、Ｗ３×１／２＝Ｗ４の荷重が各々と掛かります。【００１２】  図３・図５のＤ〜  矢視図、にて品番４０Ａ駆動側チェーンの接続方法を説明する。品番３７エレベーターチェーン釣り下げ金具に固定された品番４０Ａ駆動側チェーンは３２Ａ（軸と固定）・３４Ａ（軸と自由）・３５Ａ（軸と自由）・３６Ａ（軸と自由）・の駆動側スプロケットを介して、品番３８エレベーターチェーン末端金具へと、エレベーターを挟んでエンドレスに接続した。【００１３】  その時に発生する、駆動装置軸に掛かる回転力は、エレベーター自重Ｗ４から発生するものであり、図５・Ｄ〜  矢視図のＲ５の回転方向で有ります。【００１４】  図３・図６のＧ〜  矢視図、にて品番４０Ｃ従動側チェーンの接続方法を説明する。品番３７エレベーターチェーン釣り下げ金具に固定された品番４０Ｃ駆動側チェーンは３２Ｃ（軸と固定）・３３Ｃ（軸と自由）・３４Ｃ（軸と固定）・３６Ａ（軸と自由）・の従動側スプロケットを介して、品番３８エレベーターチェーン末端金具へと、エレベーターを挟んでエンドレスに接続した。【００１５】  その時に発生する、従動側チェーンから発生される回転力は、エレベーター自重Ｗ４から発生するものであり、図６・Ｇ〜  矢視図のＲ２０の回転方向で有ります。【００１６】  図３・図６のＦ〜  矢視図、にて品番４０Ｄ従動側動力伝達チェーンの接続方法を説明する。品番４０Ｄ従動側動力伝達チェーンは３３Ｄ（軸と固定）・３４Ｄ（軸と固定）・の従動側スプロケットをエンドレスに接続した。【００１７】  その時に発生する、従動側チェーンから発生される回転力は、エレベーター自重Ｗ４から発生するものであり、図６・Ｇ〜  矢視図のＲ１８の回転方向で有ります。【００１８】  図３・図５のＥ〜  矢視図、にて品番４０Ｂ従動側動力伝達チェーンの接続方法を説明する。品番４０Ｂ従動側動力伝達チェーンは３２Ｂ（軸と固定）・３３Ｂ（軸と固定）・３４Ｂ（軸と固定）の従動側スプロケットをエンドレスに接続した。【００１９】  その時に発生する、従動側チェーンから発生される回転力は、エレベーター自重Ｗ４から発生するものであり、図５・Ｅ〜  矢視図のＲ８の回転方向で有ります。【００２０】  品番３１本考案の駆動装置軸に掛かる回転力は、エレベーター自重Ｗ４から、発生するもので有り、Ｒ５・Ｒ８の回転方向は逆方向であり、同回転力で有り、品番３１駆動装置軸軸にて荷重バランスが取れて、無駄な回転力は解消されました。【００２１】  図３・４・５・図６にてエレベーター下降時を説明する。
品番３１駆動装置軸回転方向はＲ３＝Ｒ５で有り、品番３２Ｂ・３４Ｂ・３４Ｃ・３２Ｃスプロケットへと回転力は伝達され、品番３２Ｃスプロケットの回転方向はＲ９で有り、エレベーターは下降方向へと移動する。【００２２】  図３・４・５・図６にてエレベーター上昇時を説明する。
品番３１駆動装置軸回転方向はＲ４＝Ｒ６で有り、品番３２Ｂ・３４Ｂ・３４Ｃ・３２Ｃスプロケットへと回転力は伝達され、品番３２Ｃスプロケットの回転方向はＲ１０で有り、エレベーターは上昇方向へと移動する。
【考案の効果】
【００２３】  品番Ｗ４エレベーター自重が、負荷荷重で有り、カウンターウェイトで有る為、品番３１駆動装置回転軸には、Ｒ３＝Ｒ５と逆回転のＲ４＝Ｒ８＝Ｒ６の等しい回転力が発生しており、昇降移動の際に、品番３１駆動装置には最小限の電力で賄える形と成った。
またエレベーター停止時に於いても、駆動装置ブレーキには最小限の（０）の電力で賄える形と成った。
【００２４】  前述の如く、Ｒ５＝Ｒ８＝Ｒ６の等しい回転力の発生により、品番３１駆動装置のブレーキ部分に万が一の故障が発生した場合に於いても、エレベーターの昇方向への移動による、思わぬ事故が未然に防げることと成った。
【００２５】  従来のエレベーターに設けられていた、カウンターウェイトが削除されたことにて、Ｌ１＞Ｌ２の関係が可能と成り、エレベーターの占有面積を小さく出来、建築物の使用可能面積を大きく取れるように成った。
【００２６】  本考案機構はそのまま、自動車等の立体駐車場にも転用出来ることも、判明した。
【図面の簡単な説明】
【００２７】
【図１】  従来の形エレベーターの機構組立図面
【図２】  図１のＡ〜・イ〜拡大詳細図
【図３】  本考案のエレベーターの機構組立図面
【図４】  図３のＢ〜・ロ〜・Ｃ〜拡大詳細図
【図５】  図４のＤ〜・Ｅ〜拡大詳細図
【図６】  図４のＦ〜・Ｇ〜拡大詳細図
【符号の説明】
【００２８】Ｈ１    エレベーター総高
Ｈ２    機会室・機会取付台範囲
Ｗ      エレベーター幅
Ｌ１    エレベーター奥行き長さ−Ｌ１
Ｌ２    エレベーター奥行き長さ−Ｌ２
１１Ａ  エレベーター占有面積−Ａ
１１Ｂ  エレベーター占有面積−Ｂ
１２    エレベーター本体
１３    カウンターウェイト
Ｗ１    Ｗ１＝ＷＭａＸエレベーターＭａＸ自重
Ｗ２    カウンターウェイト自重
Ｗ３    エレベーター自重
Ｗ４    １／２×エレベーター自重
１４Ａ  機会品取付台−Ａ
１４Ｂ  機会品取付台−Ｂ
１５Ａ  機会室−Ａ
１５Ｂ  機会室−Ｂ
２１    従来の駆動装置
２２    スプロケット−２２
２３    スプロケット−２３
２４    駆動チェーン
３１    エコロジー形の駆動装置
３２Ａ  スプロケット−３２Ａ（軸と固定形）
３２Ｂ  スプロケット−３２Ｂ（軸と固定形）
３２Ｃ  スプロケット−３２Ｃ（軸と固定形）
３３Ｂ  スプロケット−３３Ｂ（軸と固定形）
３３Ｃ  スプロケット−３３Ｃ（軸と自由形）
３３Ｄ  スプロケット−３３Ｄ（軸と固定形）
３４Ａ  スプロケット−３４Ａ（軸と自由形）
３４Ｂ  スプロケット−３４Ｂ（軸と固定形）
３４Ｃ  スプロケット−３４Ｃ（軸と固定形）
３４Ｄ  スプロケット−３４Ｃ（軸と固定形）
３５Ａ  スプロケット−３５Ａ（軸と自由形）
３５Ｃ  スプロケット−３５Ｃ（軸と自由形）
３６Ａ  スプロケット−３６Ａ（軸と自由形）
３６Ｃ  スプロケット−３６Ｃ（軸と自由形）
３７    エレベーターチェーン釣り下げ金具
３８    エレベーターチェーン末端金具
３９    下側スプロケット取付台
４０Ａ  エレベーター釣り下げチェーン駆動側
４０Ｂ  バランス様釣り下げチェーン
４０Ｃ  エレベーター釣り下げチェーン従動側
４０Ｄ  エレベーター釣り下げバランス用チェーン従動側
Ｒ１    エレベーター自重から発生する、駆動装置にかかる回転力
Ｒ２    カウンターウェイトから発生する、駆動装置にかかる回転力
Ｒ３    Ｒ３＝Ｒ４エレベーター自重から発生する、駆動装置にかかる回転力（左回転）
Ｒ４    Ｒ４＝Ｒ３エレベーター自重から発生する、駆動装置にかかる回転力（右回転）
Ｒ５    エレベーター自重から発生する、駆動装置にかかる回転力（左回転）
Ｒ６    エレベーター自重から自ら発生する、駆動装置にかかる逆回転力（右回転）
Ｒ７    スプロケット３２Ｂ（左回転）
Ｒ８    Ｒ８＝Ｒ６、スプロケット３２Ｂ（右回転）
Ｒ９    スプロケット３２Ｃに掛かるエレベーター自重から発生する、駆動装置に掛かる          回転力（左回転）
Ｒ１０  スプロケット３２Ｃ（右回転）
Ｒ１１  スプロケット３３Ｂ（左回転）
Ｒ１２  スプロケット３３Ｂ（右回転）
Ｒ１３  スプロケット３３Ｃ（左回転）
Ｒ１４  スプロケット３３Ｃ（右回転）
Ｒ１５  スプロケット３４Ｂ（左回転）
Ｒ１６  スプロケット３４Ｂ（右回転）
Ｒ１７  スプロケット３４Ｄ（左回転）
Ｒ１８  スプロケット３４Ｄ（右回転）
Ｒ１９  スプロケット３４Ｃ（左回転）
Ｒ２０  スプロケット３４Ｃ（右回転）
Ｒ２１  スプロケット３４Ａ（右回転）カウンターウェイトから発生する回転力。
またこれは、駆動装置から発生する回転力でもあります。
Ｒ２２  スプロケット３４Ａ（左回転）駆動装置から発生する回転力。
【図１】
0003148238.tif 000003
【図２】
0003148238.tif 000004
【図３】
0003148238.tif 000005
【図４】
0003148238.tif 000006
【図５】
0003148238.tif 000007
【図６】
0003148238.tif 000008
【手続補正書】
【提出日】平成20年10月23日(2008.10.23)
【手続補正１】
【補正対象書類名】実用新案登録請求の範囲
【補正対象項目名】全文
【補正方法】変更
【補正の内容】
【実用新案登録請求の範囲】
【請求項１】
小型エレベーター、及び家庭用エレベーターに於いて、２本の釣り下げチェーンと機構上チェーンの、３本のチェーンを持ち、それらを駆動するスプロケットの組合わせにより、エレベーター自身の自重をカウンターウェイトとしても使用して、カウンターウェイトを省いた、エコロジー形エレベーター。